(57)【要約】【課題】極めてシンプルな構造で空気の逆流を確実に防止することができ、装着容易で安価な提供が可能なエアーバックレス構造を提供する。【解決手段】ヘッド１２の内部に嵌合装着する固定筒体１を設ける。固定筒体１の軸芯部にバルブ板２を設けたバルブ体３を構成する。開口部１１にバルブ板２方向に突出する突出口１３を形成する。固定筒体１の高さを突出口１３の高さの２倍の高さに形成する。固定筒体１の高さを二分する位置にバルブ板２を形成する。【選択図】  図３
2020189672.tif 000002
【特許請求の範囲】
【請求項１】
チューブ容器の先端に設けられたヘッドの内部に嵌合装着する固定筒体と、該固定筒体の軸芯部に設けられヘッド内に形成されている開口部を開閉自在に密封するバルブ板とで構成するバルブ体を備えたエアーバックレス構造であって、前記開口部に前記バルブ板方向に突出する突出口を形成し、前記固定筒体の高さを該突出口が突出した高さの２倍の高さに形成すると共に、前記固定筒体の高さを二分する位置に前記バルブ板を形成したことを特徴とするエアーバックレス構造。
【請求項２】
前記バルブ体は、前記バルブ板の厚みを0.2mmから0.8mmの範囲内で形成した請求項１記載のエアーバックレス構造。
【請求項３】
前記バルブ板は、円板状の密閉片と該密閉片の周囲を囲むように湾曲した複数の弾性腕片とを備え、密閉片と弾性腕片との隙間、及び弾性腕片と前記固定筒体との隙間から内容物を排出するように構成した請求項１乃至３いずれか記載のエアーバックレス構造。
【請求項４】
前記固定筒体は、前記チューブ容器の前記ヘッド先端内部に嵌合する抽出口体の下端部で固定されるように構成した請求項１記載のエアーバックレス構造。
【発明の詳細な説明】
【技術分野】
【０００１】
本発明は、チューブ容器から内容物を押出した後に、チューブ容器の内部に空気が逆流するのを防止することができるエアーバックレス構造に関する。
【背景技術】
【０００２】
内容物の流量を任意に変更することが可能な弁機構が特許文献１に記載されている。この弁機構は、リング状の支持部の中央に断面略楕円形状の閉止部を設けた弁部材を使用するもので、閉止部を容器の開口部に当接させて流体の流量を任意に変更する構成である。
【０００３】
一方、チューブ容器に収納した化粧品等の品質を保つために、チューブ容器内への空気の逆流を防止する内容物流出防止用バルブが特許文献２に記載されている。
【０００４】
このバルブは、固定バルブとバルブ体との二つの部材を組み合わせて構成するバルブであり、チューブ容器の吐出口にこの組み合せたバルブを装着することで空気の逆流を防止するように構成されている。
【０００５】
すなわち、このバルブは、略筒状を成した固定バルブの内部に円盤状のバルブ体を組み合わせて一つのバルブを構成し、このバルブをチューブ容器の吐出口側に装着するものである。
【先行技術文献】
【特許文献】
【０００６】
【特許文献１】特開２００４-８３０１３号公報
【特許文献２】特開２０１６-８４１８０号公報
【発明の概要】
【発明が解決しようとする課題】
【０００７】
特許文献１記載の弁機構は、流体を閉止し流体の流量を変更することは可能になるが、内容物を押出した後に、チューブ容器の内部に空気が逆流するのを防止することはできない構成である。
【０００８】
すなわち、開口部と弁部材との位置が極めて近いので、開口部と弁部材との間に残留物が少しでも溜まると、弁部材の閉止部位に隙間が生じる可能性がある。この隙間から容器内部に空気が逆流するおそれがあった。したがって、特許文献１のこの弁機構は、流量を変更することは可能でも、チューブ容器の内部に空気が逆流するのを防止することはできない構造である。
【０００９】
一方、特許文献２のバルブでは、略筒状を成した固定バルブと、円盤状を成したバルブ体との二つの部材を組み合わせることでチューブ容器内への空気の逆流を防止する構成である。
【００１０】
ところが、このバルブは、二つの部材を組み合わせるために、各部材の構成が極めて複雑になっていた。すなわち、一方の略筒状の固定バルブには、内部に装着する円盤状のバルブ体を下から支える支持段差が固定バルブの下部に突設されている。更に、この支持段差が支える他方の円盤状のバルブ体の底部には、支持段差が噛合する噛合溝が形成されており、この噛合溝に支持段差の上端部を噛合して組み合わせる構成を採用している。この結果、二つの部材を組み合わせるために、各部の構成が極めて複雑な構成にならざるを得ず、バルブとしての製造コストも高くなっていた。
【００１１】
しかも、支持段差は、円盤状のバルブ体を下から支える構造なので、誤ってバルブの上下面を逆向きにして装着してしまうと、支持段差とバブル体の底面の向きが逆向きになり、内容物の排出ができなくなる不都合が生じる。したがって、バルブの装着には、二つの部材を組み合せる作業や、バルブの向きに十分な注意を払いながら装着する作業など、バルブの装着作業に多くの手間や注意が必要であった。
【００１２】
そこで、本発明は上述の課題を解消すべく案出されたもので、極めてシンプルな構造で空気の逆流を防止することができ、しかも、バルブ装着作業が極めて容易になり、その上、安価な提供が可能なエアーバックレス構造の提供を目的とするものである。
【課題を解決するための手段】
【００１３】
上述の目的を達成すべく本発明における第１の手段は、チューブ容器１０の先端に設けられたヘッド１２の内部に嵌合装着する固定筒体１と、該固定筒体１の軸芯部に設けられヘッド１２内に形成されている開口部１１を開閉自在に密封するバルブ板２とで構成するバルブ体３を備えたエアーバックレス構造であって、前記開口部１１に前記バルブ板２方向に突出する突出口１３を形成し、前記固定筒体１の高さを該突出口１３が突出した高さの２倍の高さに形成すると共に、前記固定筒体１の高さを二分する位置に前記バルブ板２を形成したことにある。
【００１４】
第２の手段の前記バルブ体３は、前記バルブ板２の厚みを0.2mmから0.8mmの範囲内で形成したものとする。
【００１５】
第３の手段の前記バルブ板２は、円板状の密閉片２Ａと該密閉片２Ａの周囲を囲むように湾曲した複数の弾性腕片２Ｂとを備え、密閉片２Ａと弾性腕片２Ｂとの隙間、及び弾性腕片２Ｂと前記固定筒体１との隙間から内容物を排出するように構成する。
【００１６】
第４の手段の前記固定筒体１は、前記チューブ容器１０の前記ヘッド１３先端内部に嵌合する抽出口体１４の下端部で固定されるように構成したものである。
【発明の効果】
【００１７】
本発明の請求項１に記載のごとく、開口部１１にバルブ板２方向に突出する突出口１３を形成し、固定筒体１の高さを該突出口１３が突出した高さの２倍の高さに形成したことにより、開口部１１から排出される内容物が突出口１３の周辺に溜まるおそれが解消した。この結果、チューブ容器１０内の内容物を繰り返し押し出しても、突出口１３の周辺に溜まった内容物がバルブ板２の密封状態を妨げる虞はなくなり、極めてシンプルな構成で空気の逆流を防止することに成功した。
【００１８】
しかも、固定筒体１の高さを二分する位置に前記バルブ板２を形成しているので、バルブ体３の向きが反転しても前記突出口１３の先端に前記バルブ板２が圧接して確実に密封することができる。したがって、ヘッド１２の内部にバルブ体３を装着する際に、二つの部材を組み合わせたりバルブ体３の向きに注意を払ったりする必要がなくなり、バルブ装着作業が極めて容易に行える利点がある。
【００１９】
請求項２のように、バルブ体３のバルブ板２の厚みを0.2mmから0.8mmに形成することで、このバルブ板２が突出口１３の先端に密着した状態になり、外気の逆流を確実に防止することができる。
【００２０】
請求項３のごとく、バルブ板２は、密閉片２Ａと該密閉片２Ａとの隙間及び密閉片２Ａと固定筒体１との隙間から内容物を排出するように構成しているので、突出口１３の先端に圧着するバルブ板２の周囲から内容物が排出されることになり、突出口１３とバルブ板２との間に残留物が生じ難い構造になる。
【００２１】
請求項４のように、固定筒体１は、前記チューブ容器１０の前記ヘッド１３先端内部に嵌合する抽出口体１４の下端部で固定されるように構成することで、チューブ容器１０の一般的なノズル構造に適した構成になる。
【００２２】
このように本発明によると、極めてシンプルな構造で空気の逆流を確実に防止することができ、しかも、バルブを装着する際の作業が極めて容易になり、その上、安価な提供が可能になるなどといった当初の目的を達成した。
【図面の簡単な説明】
【００２３】
【図１】本発明の一実施例を示す分解斜視図である。
【図２】本発明の一実施例を示す分解縦断面図である。
【図３】本発明の要部を示す拡大縦断面図である。
【図４】本発明のバルブ体を示す平面図である。
【図５】本発明のバルブ板を示す平断面図である。
【図６】本発明のバルブ体を示す縦断面図である。
【発明を実施するための形態】
【００２４】
本発明は、チューブ容器１０の先端にバルブ体３を装着して、外気の逆流を防止するエアーバックレス構造である。チューブ容器１０は、先端側にヘッド１２が形成され、このヘッド１２に抽出口体１４やキャップを装着する（図１参照）。また、このヘッド１２の内部に、チューブ容器１０内の収納物を排出する開口部１１が形成されている（図２参照）。
【００２５】
バルブ体３は、合成樹脂材にて形成される部材で、固定筒体１とバルブ板２とで構成される（図４参照）。固定筒体１は、チューブ容器１０の先端に設けられたヘッド１２の内部に嵌合装着する部位である。図示の固定筒体１は筒状を成し、ヘッド１２の内部に密着した状態で嵌合する（図３参照）。ヘッド１２内部の開口部１１には、突出口１３が突設されており、固定筒体１はこの突出口１３を囲む位置に設置される。
【００２６】
固定筒体１の高さは、この突出口１３が突出した高さの２倍の高さに形成している。そして、固定筒体１の高さを二分する位置にバルブ板２を形成する（図３参照）。図示の固定筒体１は、チューブ容器１０のヘッド１３先端内部に嵌合する抽出口体１４の底部が固定筒体1の上端部に当接して固定筒体1を固定するように構成している。そして、この固定筒体１が突出口１３の周囲に固定されたときに、この固定筒体１の下端部から上端部までの高さの位置が開口部１１の突出高さの２倍の位置になる。
【００２７】
一方、バルブ板２は、固定筒体１の軸芯部に設けられる薄い板状の部位で、ヘッド１２内に形成されている開口部１１を開閉自在に圧接するように形成している。このバルブ体３は、合成樹脂材にて固定筒体１とバルブ板２とが一体形成されている（図４参照）。
【００２８】
図示のバルブ板２は、密閉片２Ａと弾性腕片２Ｂとで構成する（図５参照）。密閉片２Ａは、突出口１３の先端に圧接する円板状の部材である。一方、弾性腕片２Ｂは、この密閉片２Ａの周囲を囲むように湾曲した部材で、複数本の弾性腕片２Ｂで密閉片２Ａを支えている。そして、密閉片２Ａと弾性腕片２Ｂとの隙間、及び弾性腕片２Ｂと固定筒体１との隙間から内容物を排出するように構成している（図６参照）。
【００２９】
前述のように、固定筒体１の高さは突出口１３の高さの２倍を有し、この固定筒体１の高さを二分する位置にバルブ板２を形成しているので、このバルブ板２の厚みの中心部が突出口１３の先端部の位置と一致する。そのため、密閉片２Ａは、弾性腕片２Ｂの弾性力にて突出口１３の先端部に圧接することになる（図３参照）。しかも、密閉片２Ａの厚みの中心部が、突出口１３の先端部の位置と一致するので、弾性腕片２Ｂの上下面を逆さにしても、常に弾性腕片２Ｂの下面が突出口１３の先端部に圧接する構成になっている。
【００３０】
このようにバルブ板２の弾性力を利用して突出口１３の開口部を密閉するので、バルブ板２の厚み設定が重要になる。実験ではポリエチレン樹脂を使用し、バルブ板２の厚みを0.2mmから0.8mmの範囲内で形成した場合に安定した密閉力が得られた。
【００３１】
すなわち、バルブ板２の厚みが0.2mmを下回ると弾性力が劣り突出口１３への圧着状態を維持できなくなる。また、バルブ板２の厚みが0.8mmを超えると圧着力が強くなり過ぎて内容物を排出する際に支障が生じる。この結果、バルブ板２の厚みの設定範囲は、0.2mmから0.8mmが好ましい。
【００３２】
実験では、突出口１３の高さを1.0mmに形成し、固定筒体１の高さを2.0mmに形成し、バルブ板２の厚みを0.5mmに形成したものである。
【００３３】
尚、本発明において、図示の構成に限定されるものではなく、固定筒体１やバルブ板２の構成、サイズ、形状等は、本発明の要旨を変更しない範囲での設計変更は自由に行える。
【符号の説明】
【００３４】
１  固定筒体
２  バルブ板
２Ａ  密閉片
２Ｂ  弾性腕片
３  バルブ体
１０  チューブ容器
１１  開口部
１２  ヘッド
１３  突出口
１４  抽出口体
【図１】
2020189672.tif 000003
【図２】
2020189672.tif 000004
【図３】
2020189672.tif 000005
【図４】
2020189672.tif 000006
【図５】
2020189672.tif 000007
【図６】
2020189672.tif 000008
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
チューブ容器の先端に設けられたヘッドの内部に嵌合装着する固定筒体と、該固定筒体の軸芯部に設けられヘッド内に形成されている開口部を開閉自在に密封するバルブ板とで構成するバルブ体を備えたエアーバックレス構造であって、
前記バルブ板は、0.2mmから0.8mmの厚みで形成され、円板状の密閉片と該密閉片の周囲を囲むように湾曲した複数の弾性腕片とを備え、密閉片と弾性腕片との隙間、及び弾性腕片と前記固定筒体との隙間から内容物を排出するように構成し、
前記開口部に前記バルブ板方向に突出する突出口を形成し、前記固定筒体の高さを該突出口が突出した高さの二倍の高さに形成すると共に、前記固定筒体１の高さを二分する位置に前記バルブ板を形成したことを特徴とするエアーバックレス構造。
【請求項２】
前記固定筒体は、前記チューブ容器の前記ヘッド先端内部に嵌合する抽出口体の下端部で固定されるように構成した請求項１記載のエアーバックレス構造。
【手続補正２】
【補正対象書類名】明細書
【補正対象項目名】００１３
【補正方法】変更
【補正の内容】
【００１３】
上述の目的を達成すべく本発明における第１の手段は、チューブ容器１０の先端に設けられたヘッド１２の内部に嵌合装着する固定筒体１と、該固定筒体１の軸芯部に設けられヘッド１２内に形成されている開口部１１を開閉自在に密封するバルブ板２とで構成するバルブ体３を備えたエアーバックレス構造であって、前記バルブ板２は、0.2mmから0.8mmの厚みで形成され、円板状の密閉片２Ａと該密閉片２Ａの周囲を囲むように湾曲した複数の弾性腕片２Ｂとを備え、密閉片２Ａと弾性腕片２Ｂとの隙間、及び弾性腕片２Ｂと前記固定筒体１との隙間から内容物を排出するように構成し、前記開口部１１に前記バルブ板２方向に突出する突出口１３を形成し、前記固定筒体１の高さを該突出口１３が突出した高さの二倍の高さに形成すると共に、前記固定筒体１の高さを二分する位置に前記バルブ板２を形成したことにある。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
第２の手段の前記固定筒体１は、前記チューブ容器１０の前記ヘッド１３先端内部に嵌合する抽出口体１４の下端部で固定されるように構成したものである。
【手続補正６】
【補正対象書類名】明細書
【補正対象項目名】００１９
【補正方法】変更
【補正の内容】
【００１９】
バルブ体３のバルブ板２の厚みを0.2mmから0.8mmに形成することで、このバルブ板２が突出口１３の先端に密着した状態になり、外気の逆流を確実に防止することができる。
【手続補正７】
【補正対象書類名】明細書
【補正対象項目名】００２０
【補正方法】変更
【補正の内容】
【００２０】
バルブ板２は、密閉片２Ａと該密閉片２Ａとの隙間及び密閉片２Ａと固定筒体１との隙間から内容物を排出するように構成しているので、突出口１３の先端に圧着するバルブ板２の周囲から内容物が排出されることになり、突出口１３とバルブ板２との間に残留物が生じ難い構造になる。
【手続補正８】
【補正対象書類名】明細書
【補正対象項目名】００２１
【補正方法】変更
【補正の内容】
【００２１】
請求項２のように、固定筒体１は、前記チューブ容器１０の前記ヘッド１３先端内部に嵌合する抽出口体１４の下端部で固定されるように構成することで、チューブ容器１０の一般的なノズル構造に適した構成になる。